(57)【特許請求の範囲】
【請求項１】
遊技者に押圧操作されるボタン部を備えた押しボタン型スイッチ装置が遊技者に対向するパネル面に設けられている遊技機であって、
前記押しボタン型スイッチ装置には、
前記ボタン部の押圧方向に沿って移動可能、且つ、前記ボタン部の押圧方向に対して平行な回転軸を中心に回転可能に、前記ボタン部を支持する基部と、
前記ボタン部を回転させる操作機と、
前記ボタン部への接触を検出すると、所定の電気信号である接触信号を出力する接触検出センサと、
押圧操作により移動可能となっている前記ボタン部の移動範囲の途中位置を当該ボタン部が通過したことを検出すると、所定の電気信号である通過信号を出力する通過検出センサと、
が設けられ、
前記接触検出センサ及び前記通過検出センサのいずれか一方を遊技状態に対応して選択するセンサ選択手段と、
このセンサ選択手段が選択したセンサの電気信号に基づいて、前記操作機の動作を制御する操作機制御手段が設けられていることを特徴とする遊技機。
【請求項２】
遊技を開始する際に、複数種類の当選役及びハズレのなかから抽選を行う当否抽選手段と、
この当否抽選手段による当否抽選で所定の当選役に当選した場合に、当選した所定の当選役への入賞のみを可能とし、他の当選役については入賞を回避するように遊技動作を制御する遊技動作制御手段とを備え、
前記センサ選択手段は、前記当否抽選手段が行った当否抽選の結果に対応して選択すべきセンサとして、前記接触検出センサ及び前記通過検出センサのいずれか一方が予め設定されていることを特徴とする請求項１記載の遊技機。
【請求項３】
前記接触検出センサ及び前記通過検出センサのうち、前記センサ選択手段が選択したセンサに接続されるとともに、前記センサ選択手段が選択したセンサから電気信号を受信すると、前記センサ選択手段へ切換信号を出力する切換判定手段が設けられ、
前記センサ選択手段は、前記切換判定手段から切換信号を受信すると、選択するセンサを前記接触検出センサ及び前記通過検出センサの一方から他方に切り換えるものとなっていることを特徴とする請求項２記載の遊技機。
【請求項４】
前記センサ選択手段は、一の遊技における当否抽選によって所定の当選役が選ばれると、選択すべきセンサとして前記接触検出センサが予め設定されたものであり、
前記切換判定手段は、前記センサ選択手段が選択した前記接触検出センサと接続され、前記接触検出センサからの接触信号が受信可能な状態にされ、当該接触信号を受信すると、切換信号を前記センサ選択手段へ出力し、遊技の途中で、前記センサ選択手段に選択するセンサを前記接触検出センサから前記通過検出センサへ切り換えさせるものとなっていることを特徴とする請求項３記載の遊技機。
【発明の詳細な説明】
【技術分野】
【０００１】
本発明は、遊技者に押圧操作されるボタン部を備えた押しボタン型スイッチ装置が遊技者に対向するパネル面に設けられている遊技機に関する。
【背景技術】
【０００２】
従来より、遊技者に娯楽を提供する遊技機として、外周面に複数種類の図柄が記された複数の回転リールを備え、回転状態の回転リールを遊技者に停止させて図柄を揃えさせる遊技を行うスロットマシンが利用されている。
更に具体的に説明すると、スロットマシンにメダルを投入した後、遊技者がスタートレバー装置を操作すると、複数の回転リールが一斉に回転駆動される。この後、押しボタン型スイッチ装置を押圧すると、押しボタン型スイッチ装置に対応した回転リールが停止するようになっている。
この際、リール窓内に表示された複数の図柄が特定の組合せに揃ったときに入賞となり、入賞すると、入賞した役に応じた数のメダルがスロットマシンから遊技者に払い出されることとなる。
【０００３】
このようなスロットマシンでは、遊技が行われる毎に遊技の当否に係る当否抽選が内部で行われ、この当否抽選で当選することにより、所定の当選役に対応した当選フラグが成立し、これにより、当該当選役に入賞することが可能となる。換言すると、当否抽選で当選することにより初めて、リール窓内に所定の組合せの図柄を停止させることができるようになっている。
そして、遊技毎に行われる当否抽選で、大きな利益が得られる特別入賞に対応した当選役、例えば、ボーナスゲームに当選して、ボーナスゲームに対応する当選フラグが成立すると、遊技者は、その遊技の成り行きにより、ボーナスゲームへの入賞が可能となる。
【０００４】
このため、このように大きな利益の得られる可能性がある当選フラグが成立したら、その旨を遊技中の遊技者に知らせるために、装飾用のランプを点滅あるいは連続的に点灯させる等、所定の報知演出が行われるようになっている。
このような報知演出を行うスロットマシンとしては、回転リールを停止させる際に押圧操作される押しボタン型スイッチ装置の遊技者が押圧する押圧面を回転させることで、報知演出を行うようにしたものが知られている。
すなわち、押しボタン型スイッチ装置は、遊技者に押圧操作されるボタン部と、ボタン部の背面から突出する被支持軸が内部に挿通されて、ボタン部を前後に移動可能に支持する支持筒と、スロットマシンの前方へ向かってボタン部を付勢する圧縮バネ等を備えたものとなっている。
【０００５】
そして、押しボタン型スイッチ装置には、押圧操作時にボタン部を回転させる押圧回転機構と、押圧操作時にボタン部の回転を阻止する回転阻止機構とが設けられている。
ここで、ボタン部の被支持軸には、その外周面から径方向に突出する突起部が一体的に形成されている。
そして、押圧回転機構は、ボタン部の被支持軸が内部に挿通される筒状に形成されるとともに、ボタン部側の突起部が内部に挿入される螺旋状のガイド溝が、その側壁部に形成された螺旋ガイド筒と、所定の位置に螺旋ガイド筒を回転不可能な状態で任意に固定することができる螺旋ガイド筒固定装置とを備えたものとなっている。
【０００６】
一方、回転阻止機構は、ボタン部の被支持軸が内部に挿通される筒状に形成されるとともに、ボタン部の押圧方法に沿った直線状の回転阻止溝が、その側壁部に形成された回転阻止筒と、所定の位置に回転阻止筒を回転不可能な状態で任意に固定することができる回転阻止筒固定装置とが設けられている。
そして、通常時には、回転阻止機構の回転阻止筒固定装置のみを作動させれば、押圧回転機構の螺旋ガイド筒がボタン部とともに移動し、その動きを規制せず、回転阻止筒のみがボタン部の動きを規制するようになるので、これにより、押圧操作時にボタン部が回転することがない。
【０００７】
一方、ボーナスゲームに当選する等により報知演出を行う必要が生じた時には、押圧回転機構の螺旋ガイド筒固定装置のみを作動させれば、回転阻止機構の回転阻止筒がボタン部とともに回転し、その動きを規制せず、螺旋ガイド筒のみがボタン部の動きを規制するようになるので、これにより、押圧操作時にボタン部が回転するようになる。
そして、このような押しボタン型スイッチ装置のボタン部の回転動作は、遊技の演出に利用することができる。例えば、当否抽選でボーナスゲームに当選した際に、押しボタン型スイッチ装置のボタン部を回転可能な状態にしておけば、押圧操作時にボタン部が回転し、これにより、ボーナスゲームへの当選を報知する報知演出を行うことができる（例えば、特許文献１参照）。
【特許文献１】特開２００６−１８０８９３号（図２）
【発明の開示】
【発明が解決しようとする課題】
【０００８】
前述のような押しボタン型スイッチ装置を備えた遊技機では、押しボタン型スイッチ装置のボタン部が押圧操作により移動する際に、螺旋ガイド筒の螺旋状に形成されたガイド溝にボタン部の突起部を案内させ、これにより、ボタン部に加わる直線運動の力を回転力に変換して、ボタン部を回転させるようにしたので、機構上、ボタン部の回転方向及び回転角度範囲が螺旋状のガイド溝により限定されてしまい、押しボタン型スイッチ装置を演出に利用するにあたり、ボタン部の動作が単調なものとなり、多様な演出が行うことができない、という問題がある。
そこで、各請求項にそれぞれ記載された各発明は、上記した従来の技術の有する問題点に鑑みてなされたものであり、その目的とするところは、押しボタン型スイッチ装置で多様な演出が行えるようになる遊技機を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技者に押圧操作されるボタン部(31)を備えた押しボタン型スイッチ装置(30)が遊技者に対向するパネル面(７)に設けられている遊技機(１)であって、前記押しボタン型スイッチ装置(30)には、前記ボタン部(31)の押圧方向に沿って移動可能、且つ、前記ボタン部(31)の押圧方向に対して平行な回転軸を中心に回転可能に、前記ボタン部(31)を支持する基部(32)と、前記ボタン部(31)を回転させる操作機(33)と、前記ボタン部(31)への接触を検出すると、所定の電気信号である接触信号を出力する接触検出センサ(51)と、押圧操作により移動可能となっている前記ボタン部(31)の移動範囲の途中位置を当該ボタン部(31)が通過したことを検出すると、所定の電気信号である通過信号を出力する通過検出センサ(46)とが設けられ、前記接触検出センサ(51)及び前記通過検出センサ(46)のいずれか一方を遊技状態に対応して選択するセンサ選択手段(81)と、このセンサ選択手段(81)が選択したセンサの電気信号に基づいて、前記操作機(33)の動作を制御する操作機制御手段(55)が設けられていることを特徴とする。
【００１０】
このような請求項１の記載における「遊技状態」とは、遊技が開始されてから終了するまでの間における、遊技機に設けられた装置の状態をいう。
ここで、遊技機に設けられた装置とは、少なくとも一部が遊技機の表面に露出して設けられ、その作動が肉眼で視認可能な装置（動作視認可能装置）だけでなく、遊技機の内部で作動し、その作動が遊技機の外部から肉眼で視認できない装置（動作視認不可能装置）も該当する。
例えば、遊技機が液晶表示装置等の表示装置付のスロットマシンとされている場合には、回転リールを備えた回胴装置や液晶表示装置等の表示装置が、動作視認可能装置に該当する。そして、回転リールが回転している状態、及び、回転リールが停止している状態、並びに、表示装置に演出用の動画が表示されている状態、及び、表示装置に遊技者案内用の静止画像が表示されている状態等を、動作視認可能装置の状態の例として挙げることができる。
【００１１】
一方、スロットマシンの場合、筐体の内部に設けられているメダルセレクタ等の機械的に作動する装置や、ソフトウェアで作動するメイン制御基板やサブ制御基板等のデジタル機器が動作視認不可能装置に該当する。
そして、メイン制御基板の内部で行われる当否抽選でボーナスゲームが当選した状態、換言すると、ボーナスゲームに当選したことを示す当選フラグが立っている状態、及び、それまでに当否抽選でボーナスゲームに当選していない状態、換言すると、当選フラグが立っていない状態等を、動作視認不可能装置の状態の例として挙げることができる。
（請求項２）
（特徴点）
請求項２記載の発明は、前述した請求項１に記載の発明において、次の特徴点を備えているものである。
【００１２】
すなわち、請求項２に記載された発明は、遊技を開始する際に、複数種類の当選役及びハズレのなかから抽選を行う当否抽選手段(71)と、この当否抽選手段(71)による当否抽選で所定の当選役に当選した場合に、当選した所定の当選役への入賞のみを可能とし、他の当選役については入賞を回避するように遊技動作を制御する遊技動作制御手段(72)とを備え、前記センサ選択手段(81)は、前記当否抽選手段(71)が行った当否抽選の結果に対応して選択すべきセンサとして、前記接触検出センサ(51)及び前記通過検出センサ(46)のいずれか一方が予め設定されていることを特徴とする。
（請求項３）
（特徴点）
請求項３記載の発明は、前述した請求項２に記載の発明において、次の特徴点を備えているものである。
【００１３】
すなわち、請求項３に記載された発明は、前記接触検出センサ(51)及び前記通過検出センサ(46)のうち、前記センサ選択手段(81)が選択したセンサに接続されるとともに、前記センサ選択手段(81)が選択したセンサから電気信号を受信すると、前記センサ選択手段(81)へ切換信号を出力する切換判定手段(83)が設けられ、前記センサ選択手段(81)は、前記切換判定手段(83)から切換信号を受信すると、選択するセンサを前記接触検出センサ(51)及び前記通過検出センサ(46)の一方から他方に切り換えるものとなっていることを特徴とする。
（請求項４）
（特徴点）
請求項４記載の発明は、前述した請求項３に記載の発明において、次の特徴点を備えているものである。
【００１４】
すなわち、請求項４に記載された発明は、前記センサ選択手段(81)として、一の遊技における当否抽選によって所定の当選役が選ばれると、選択すべきセンサとして前記接触検出センサ(51)が予め設定されたものが採用され、前記切換判定手段(83)は、前記センサ選択手段(81)が選択した前記接触検出センサ(51)と接続され、前記接触検出センサ(51)からの接触信号が受信可能な状態にされ、当該接触信号を受信すると、切換信号を前記センサ選択手段(81)へ出力し、遊技の途中で、前記センサ選択手段(81)に選択するセンサを前記接触検出センサ(51)から前記通過検出センサ(46)へ切り換えさせるものとなっていることを特徴とする。
【発明の効果】
【００１５】
（請求項１の効果）
以上のように構成されている本発明は、以下に記載されるような効果を奏する。
すなわち、請求項１記載の発明によれば、ボタン部を基部に支持させるにあたり、当該ボタン部の押圧方向に沿ってボタン部を移動可能にするとともに、当該ボタン部の押圧方向に対して平行な回転軸を中心にボタン部を回転可能にし、さらに、ボタン部を支持する基部とともにボタン部を回転させる操作機を設けたので、操作機として、ステッピングモータ等の時計方向及び反時計方向の両回転方向について運転可能なものを採用すれば、ボタン部の回転方向が一方向に制限されることがないうえ、必要に応じて何回転でもボタン部を回転させることが可能となるので、回転方向や回転角度範囲の異なる多様な動作を実現することができる。しかも必要に応じて、ボタン部の回転速度も可変にできる。
【００１６】
また、ボタン部への接触を検出すると、所定の電気信号である接触信号を出力する接触検出センサと、ボタン部の移動範囲の途中に設けられるとともに、ボタン部の通過を検出すると、所定の電気信号である通過信号を出力する通過検出センサと、これらの接触検出センサ及び通過検出センサのいずれか一方を遊技状態に応じて選択するセンサ選択手段と、このセンサ選択手段が選択したセンサの電気信号に基づいて、操作機の動作を制御する操作機制御手段とを設けたので、遊技状態に対応してセンサ選択手段が接触検出センサ及び通過検出センサのいずれか一方を選択し、選択されたセンサからの信号を契機に、操作機制御手段が操作機の動作を変更することができ、ひいては、ボタン部の回転動作を変更させることができる。
【００１７】
例えば、遊技を開始する際にボタン部の回転を開始しておき、遊技状態に応じてセンサ選択手段が選択したセンサからの信号を契機に、ボタン部の回転を停止させたり、あるいは、それまでとは反対の方向へ回転させたりすることができる。
ここで、センサ選択手段が遊技状態に応じて接触検出センサを選択すると、遊技者がボタン部に接触した時点で、ボタン部の回転動作が変更されるようになる。
一方、センサ選択手段が遊技状態に応じて通過検出センサを選択すると、ボタン部に対して押圧操作が行われた後、押圧されたボタン部がある程度移動した時点で、ボタン部の回転動作が変更されるようになる。
【００１８】
また、接触検出センサの接触信号でセンサ選択手段が接触検出センサの選択を解除し、通過検出センサを選択するようにすれば、一の遊技において、ボタン部の回転動作について、変更を二段階に行うことができる。
以上により、回転方向や回転角度範囲の異なる、ボタン部の多様な動作を実現することができるうえ、センサ選択手段が遊技状態に応じて二つのセンサのいずれか一方を選択し、選択したセンサの信号を、ボタン部の動作変化の契機とすることにより、ボタン部の動作変化のタイミングが異なる複数種類の演出を行うことができ、従って、押しボタン型スイッチ装置で多様な演出が行えるようになる。
【００１９】
（請求項２の効果）
請求項２記載の発明によれば、上記した請求項１記載の発明の効果に加え、次のような効果を奏する。
すなわち、請求項２記載の発明によれば、遊技における当否に係る当否抽選を行う当否抽選手段と、この当否抽選手段による抽選結果に応じて入賞を可能とする遊技動作制御手段とを設け、且つ、当否抽選の結果、例えば、当否抽選で当選した当選役に対応して、センサ選択手段に選択させるべきセンサが予め設定されているので、選択されたセンサによって、ボタン部の動作が変化するタイミングが相違するようになる。
【００２０】
従って、ボタン部の回転動作により、当否抽選で当選役に当選したことを遊技者に知らせる報知演出が行えるうえ、ボタン部の動作が変化するタイミングによって、当否抽選で当選した当選役の種類を遊技者に知らせる報知演出が行え、単に、ボタン部を回転動作させる報知演出よりもさらに詳しい報知演出を行うことができる。
（請求項３の効果）
請求項３記載の発明によれば、上記した請求項２記載の発明の効果に加え、次のような効果を奏する。
すなわち、請求項３記載の発明によれば、センサ選択手段に対して二つのセンサとの接続を一方から他方へ切換させる切換信号を出力する切換判定手段を設け、この切換判定手段によって、接続中のセンサが電気信号を出力すると、センサ選択手段がそれまで切断状態にあったセンサへ接続を切り換えるようにしたので、ボタン部の押圧操作が行われている間に、２段階の動作変化を実現することができる。
【００２１】
例えば、センサ選択手段に予め設定されているセンサが接触検出センサである場合には、遊技者がボタン部に接触すると、ボタン部が回転を開始するように設定し、且つ、遊技者の押圧操作により、ボタン部がある程度移動して、通過検出センサを通過すると、ボタン部が逆方向に回転を開始するように設定すれば、これにより、ボタン部の動作を２段階に変化させることができる。
また、センサ選択手段に予め設定されているセンサが通過検出センサである場合には、遊技の開始とともにボタン部が回転を開始するように設定するとともに、遊技者の押圧操作により、ボタン部がある程度移動して、通過検出センサを通過すると、ボタン部が停止するように設定しておき、且つ、遊技者がボタン部から指を離すと、これを接触検出センサが検出し、ボタン部が回転を再開するように設定すれば、これによっても、ボタン部の動作を２段階に変化させることができ、押しボタン型スイッチ装置による演出のバリエーションを増やすことができる。
【００２２】
（請求項４の効果）
請求項４記載の発明によれば、上記した請求項３記載の発明の効果に加え、次のような効果を奏する。
すなわち、請求項４記載の発明によれば、当否抽選で所定の当選役が選ばれた際に、選択すべきセンサとして接触検出センサを予めセンサ選択手段に設定しておいたので、遊技者がボタン部に接触すると、ボタン部が回転を開始するように設定することができる。
そして、遊技者のボタン部への接触によって接触検出センサから出力される接触信号を受信すると、センサ選択手段に切換信号を送出して、出力側の接続を接触検出センサから通過検出センサに切り換えさせる切換判定手段を採用したので、ボタン部への接触の後、遊技者によって押圧操作されたボタン部がある程度移動して、通過検出センサを通過すると、ボタン部が逆方向に回転を開始するように設定することができる。
【００２３】
以上により、遊技者がボタン部に触れている間に、ボタン部の動作を２段階に変化させることができ、押しボタン型スイッチ装置による演出のバリエーションを増やすことができるうえ、遊技者がボタン部に触れている間にボタン部の回転が逆方向に変化するので、効果的な演出を実現することができる。
【発明を実施するための最良の形態】
【００２４】
以下に、本発明を実施するための最良の形態である実施形態について、図面を参照しながら説明する。
（図面の説明）
図１〜図６は、本発明の一実施形態を示すものであり、図１は、本実施形態に係る遊技機であるスロットマシンの全体を示す正面図、図２は、本実施形態に係るスロットマシンの内部を示す正面図、図３は、本実施形態に係る押しボタン型スイッチ装置を示す断面図、図４は、図３のIV−IV線における断面図、図５は、本実施形態に係るスロットマシンの制御系を示すブロック図、図６は、本実施形態に係る押しボタン型スイッチ装置の制御系を示すブロック図である。
【００２５】
（スロットマシン１の概略構成）
図１において、本実施形態に係る遊技機としてのスロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００２６】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
（上部パネル部４）
上部パネル部４には、図１中、操作卓７の上方且つ幅方向の中央部分において長方形状に形成された表示窓4Aが設けられている。
【００２７】
ここで、筐体２内部に設けられた三個の回転リール11の各々は、その外周面に複数種類の図柄に記されている。そして、各回転リール11の図柄は、筐体２の外部から表示窓4Aを通して目視可能となっている。なお、回転リール11の内部には、回転リール11を内側から照射する図示しないリール照明部11C が設けられている。
上部パネル部４の上端縁部分には、正面形状が左右に細長い逆台形状に形成された演出用照明装置4Bが設けられている。この演出用照明装置4Bは、上部パネル部４の上端縁部分のほぼ中央に配置され、その両端部は、演出用照明装置4Bの角隅部分まで達することなく、その手前の位置で途切れたものとなっている。
【００２８】
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、その間に表示窓4Aを挟むようにして配置された一対の演出用照明装置4Dが設けられている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２９】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの下側における両角近傍には、遊技に係る効果音を発生するスピーカを備えた音声出力部4Fがそれぞれ設けられている。
（操作卓７）
操作卓７は、遊技における操作に必要な各種のスイッチ類が配置されたものである。
すなわち、操作卓７における図１中右端の部分には、前扉３を施錠を解除するための鍵が挿入される鍵穴7Aが設けられている。この鍵穴7Aの左斜め上方には、メダルを投入するためのメダル投入口7Bが開口されたメダル投入部7Cが設けられている。
【００３０】
メダル投入口7Bの左斜め下方には、三個の回転リール11のそれぞれを停止させる際に操作される三個の押しボタン型スイッチ装置30が設けられている。これら三個の押しボタン型スイッチ装置30のうち、左端に配置されている押しボタン型スイッチ装置30の左斜め上方には、一度の操作で最大枚数のメダルを賭けることができるマックスベットボタン7Eが設けられている。
また、左端の押しボタン型スイッチ装置30の左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で留されている１枚のメダルを賭けることができる、換言すると、メダルを１枚ずつ賭ける際に操作される１ベットボタン7Gが設けられている。
【００３１】
さらに、１ベットボタン7Gの左斜め下方には、精算時に貯留されているメダルを払い出させる精算ボタン7Hが設けられている。
なお、図１に示されていないが、操作卓７及び表示窓4Aの間には、７セグメントのＬＥＤを含んで構成された中央表示装置が設けられ、さらに、前扉３の裏側には、中央表示装置の動作を制御するための電子回路が形成された中央表示基板8Aが設けられている。
（下部パネル部５及び受皿ユニット６）
下部パネル部５には、スロットマシン１のモデルタイプを表す象徴するキャラクター等が描かれたパネル5Aが設けられている。
【００３２】
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
（筐体２内蔵の遊技用装置）
次いで、筐体２の内部に設けられている遊技用装置について簡単に説明する。
筐体２の内部には、図２に示すように、スロットマシン１の遊技動作を制御するマイクロコンピュータからなるＣＰＵを備えたメイン制御基板2A、三個の回転リール11が回転自在に支持するとともに、これらの回転リール11のそれぞれを駆動する図示しないステッピングモータ11A を備えた回胴装置10、内部に多数のメダルを貯留させる容器部21を備えるとともに受皿部6Aに向かってメダルを排出するホッパ装置20、スロットマシン１に備えられている各装置に電力を供給する電源装置2B、遊技の演出を行うための演出用装置（例えば、液晶表示装置4E）を制御するサブ制御基板2D、及び、メダル投入口7Bに投入されたメダルを選別するメダルセレクタ８等の遊技用装置が設けられている。
【００３３】
（押しボタン型スイッチ装置30）
次に、回転リール11を停止させる際に、遊技者によって操作される押しボタン型スイッチ装置30について説明する。
押しボタン型スイッチ装置30は、前述したように、スロットマシン１の遊技者に対向するパネル面である操作卓７に設けられるとともに、図３に示すように、遊技者に押圧操作されるボタン部31を備えたものである。
押しボタン型スイッチ装置30は、前述のボタン部31に加えて、このボタン部31を、その押圧方向に沿って移動可能に支持するケース部32と、このケース部32を回転可能に支持しているモータ33と、このモータ33の起動及び停止を制御する駆動制御装置34とを備えたものとなっている。
【００３４】
ボタン部31は、遊技者の指先等に押圧される押圧面31A が形成されている円盤状の押圧部31B を備えたものとなっている。
ここで、押圧部31B の押圧面31A には、図３の如く、当該押圧部31B に遊技者の指先等が接触したことを検出するために、その全体を覆うセンサ電極51が設けられている。そして、センサ電極51の表面には、小さな突起35A が多数設けられている。これにより、押圧面31A には、遊技者が接触によって感知可能な凹凸が形成されている。
ここにおいて、センサ電極51は、ボタン部31への接触を検出すると、所定の電気信号である接触信号を出力する接触検出センサとなっている。
【００３５】
なお、センサ電極51は、センサ電極51の静電容量の変化に基づいて接触を検出する静電容量検出型の接触センサである。
また、押圧部31B には、図３及び図４に示すように、その周縁からケース部32の内部へ向かって延びる円筒状の側壁部31C と、押圧部31B の裏面中央部からケース部32の内部へ向かって延びる円柱状の軸部31D とが設けられている。
側壁部31C は、その外周面に径方向外側へ突出するガイド突起36が設けられたものとなっている。また、側壁部31C の外周面における図３上方の端縁には、図３の如く、下方の部分よりも内側に後退した段付部37が設けられている。
【００３６】
そして、側壁部31C には、内周面における図３中下方の端縁の所定位置に配置された起動用突起35B が設けられている。この起動用突起35B は、後述する第２フォトインターラプタ46の光を遮断することにより、ボタン部31の所定部位が通過したことを第２フォトインターラプタ46に検出させるとともに、所定の電気信号である通過信号を第２フォトインターラプタ46から出力させるものである。
軸部31D は、先端面に検出用突起38が設けられたものである。この検出用突起38は、後述する第１フォトインターラプタ39の光を遮断することにより、回転リール11を停止させるための電気信号であるリール停止信号を第１フォトインターラプタ39に出力させるものである。
【００３７】
ケース部32は、ボタン部31の側壁部31C を収納する空間が形成されている有底筒状の容器部32A と、この容器部32A の他方の端部開口に螺合される蓋部32B とを有するものとなっている。
容器部32A は、図３中下方の端部開口が底板部32C に塞がれたものとなっている。
また、容器部32A は、図３及び図４の如く、その内部に収納される側壁部31C 側の外周面に形成されているガイド突起36に対応したガイド溝40が形成されたものとなっている。このガイド溝40は、ボタン部31の押圧方向に延びているとともに、その内部に側壁部31C 側のガイド突起36を移動可能に収納するものとなっている。
【００３８】
これにより、ボタン部31は、そのガイド突起36がガイド溝40に案内され、ボタン部31の押圧方向に沿って移動可能であるが、円筒状の容器部32A の周方向に沿って回転不可能となっている。
そして、容器部32A の内部には、ボタン部31を外側へ押し出す方向に付勢するコイルバネ41が設けられている。このコイルバネ41は、容器部32A の底板部32C と押圧部31B との間に介装されている。
この際、コイルバネ41の内部には、ボタン部31の軸部31D が挿通され、且つ、コイルバネ41の図３中下方の端部は、底板部32C の内側表面に形成されたリング状の溝部42に嵌め込まれている。これにより、ボタン部31が押圧されてコイルバネ41が圧縮された際に、コイルバネ41が傾斜して容器部32A の底板部32C と押圧部31B との間から逸脱しないようになっている。
【００３９】
容器部32A の底板部32C の内側表面には、図３に示すように、ボタン部31側の軸部31D の先端面に設置されている検出用突起38に対応して設けられている第１フォトインターラプタ39と、ボタン部31側の側壁部31C の下端縁に設置されている起動用突起35B に対応して設けられている第２フォトインターラプタ46とが設けられている。
第１フォトインターラプタ39は、光を発する投光素子39A と、この投光素子39A が発する光を受ける受光素子39B とを備え、投光素子39A からの光が遮断されると、受光素子39B がリール停止信号を出力するものとなっている。
押しボタン型スイッチ装置30は、ボタン部31が押圧操作により移動可能となっている移動範囲の最終端部に達すると、軸部31D の先端面に設けられた検出用突起38が、第１フォトインターラプタ39の投光素子39A と受光素子39B との間に進入し、これにより、投光素子39A からの光が遮断されて、その受光素子39B がリール停止信号を発信するように形成されたものである。
【００４０】
第２フォトインターラプタ46は、光を発する投光素子46A と、この投光素子46A が発する光を受ける受光素子46B とを備え、投光素子46A からの光が遮断されると、受光素子46B が起動信号を出力するものとなっている。
なお、図３には、投光素子46A は示されているが、受光素子46B は、その表記が省略されている。実際には、受光素子46B は、図３の紙面に向かって投光素子46A よりも手前側の位置に配置されている。
押しボタン型スイッチ装置30は、ボタン部31が押圧操作により移動可能となっている移動範囲の途中位置に達すると、側壁部31C の下端縁に設置されている起動用突起35B が、第２フォトインターラプタ46の投光素子46A と受光素子46B との間に進入し、これにより、投光素子46A からの光が遮断されて、その受光素子46B が起動信号を発信するように形成されたものである。
【００４１】
以上において、第２フォトインターラプタ46は、押圧操作により移動可能となっているボタン部31の移動範囲の途中位置を、当該ボタン部31が通過したことを検出すると、所定の電気信号である通過信号を出力する通過検出センサとなっている。
容器部32A の底板部32C の外側表面には、回転可能に設けられた回転部としての容器部32A の内部と、回転しない固定部である外部装置とを電気的に接続するためのブラシ43A,44A,52A が設けられている。
このうち、ブラシ43A は、第１フォトインターラプタ39の投光素子39A 及び受光素子39B と容器部32A 外部との電気的接続を行うためのものである。
【００４２】
なお、容器部32A には、投光素子39A 及び受光素子39B のそれぞれに対応した二回路分のブラシ43A が設けられている。
ブラシ44A は、第２フォトインターラプタ46の投光素子46A 及び受光素子46B と容器部32A 外部との電気的接続を行うためのものとなっている。
なお、容器部32A には、投光素子46A 及び受光素子46B のそれぞれに対応した二回路分のブラシ44A が設けられている。
ブラシ52A は、ボタン部31側のセンサ電極51と容器部32A 外部との電気的接続を行うためのものとなっている。
【００４３】
蓋部32B は、ボタン部31に設けられている押圧部31B の押圧面31A を外部に露出させるための開口が形成された筒状の部材である。この蓋部32B の図３中上方の端縁には、蓋部32B の内周面から径方向内側に向かって突出する鍔部45が形成されている。
この鍔部45は、ボタン部31の段付部37を係止し、コイルバネ41によって容器部32A の外側へ押し出す方向に付勢されているボタン部31が外部へ出てしまわないように、ボタン部31を容器部32A の内部に押し止めるための部位である。
モータ33は、断続的に供給されるパルス状の電力によって回転駆動する出力軸33A を備えたステッピングモータである。モータ33の出力軸33A の先端は、ケース部32側に設けられている容器部32A の底板部32C に結合されている。これにより、ケース部32は、モータ33に回転可能に支持されている。そして、モータ33は、ボタン部31を回転させる操作機となっている。
【００４４】
以上において、ケース部32及びモータ33は、ボタン部31の押圧方向に沿って移動可能、且つ、ボタン部31の押圧方向に対して平行な回転軸を中心に回転可能に、当該ボタン部31を支持する基部となっている。
モータ33のケース部32に対向する面には、ケース部32側のブラシ43A,44A,52A に対応するとともに、出力軸33A と同軸となるリング状の電極43B,44B,52B が設けられている。
ここで、電極43B と、この電極43B に対応するブラシ43A とは、第１フォトインターラプタ39の投光素子39A 及び受光素子39B と、容器部32A 外部との電気的接続を行う第１スリップリング装置43を形成している。
【００４５】
この第１スリップリング装置43は、投光素子39A 及び受光素子39B のそれぞれに対応した二回路分のブラシ43A 及び電極43B を備えている。そして、この第１スリップリング装置43を介して、駆動制御装置34から第１フォトインターラプタ39の投光素子39A へ電力が供給され、受光素子39B からメイン制御基板2Aへリール停止信号が伝送されるようになっている。
また、電極44B と、この電極44B に対応するブラシ44A とは、第２フォトインターラプタ46の投光素子46A 及び受光素子46B と、容器部32A 外部との電気的接続を行う第２スリップリング装置44を形成している。
【００４６】
この第２スリップリング装置44は、投光素子46A 及び受光素子46B のそれぞれに対応した二回路分のブラシ44A 及び電極44B を備えている。そして、この第２スリップリング装置44を介して、駆動制御装置34から第２フォトインターラプタ46の投光素子46A へ電力が供給され、受光素子46B から駆動制御装置34へリール停止信号が伝送されるようになっている。
さらに、電極52B と、この電極52B に対応するブラシ52A とは、ボタン部31の押圧面31A を覆うセンサ電極51と容器部32A 外部との電気的接続を行う第３スリップリング装置52を形成している。そして、この第３スリップリング装置52を介して、センサ電極51の状態が駆動制御装置34へ伝達されるようになっている。
【００４７】
駆動制御装置34は、ボタン部31の押圧面31A を覆うセンサ電極51の状態や、ボタン部31の通過を検出する第２フォトインターラプタ46の状態等に基づいて、モータ33の起動を行うものとなっている。
また、駆動制御装置34には、遊技の演出を行うための演出用装置を制御する前述のサブ制御基板2Dから、押しボタン型スイッチ装置30で行うべき演出内容を規定するコード等を含んだ演出内容データ信号と、ボタン部31を回転させるボタン回転演出を開始させる演出開始信号と、このボタン回転演出を終了させる演出終了信号とを受信可能に形成されたものとなっている。この駆動制御装置34については、後で詳述する。
【００４８】
（スロットマシン１の制御系）
次に、スロットマシン１の動作を制御する制御系について簡単に説明する。
スロットマシン１は、図６に示すように、スロットマシン１で行われる遊技に係る動作を制御するメイン制御基板2Aと、主に遊技の演出に係る動作を制御するサブ制御基板2Dとを備えている。スロットマシン１に備えられている装置等は、これらのメイン制御基板2A及びサブ制御基板2Dで制御されるようになっている。
メイン制御基板2Aは、図５の如く、マイクロコンピュータを利用したＣＰＵ61、ＲＯＭ62及びＲＡＭ63等の記憶手段、並びに、外部装置との信号の送受信を行うためのＩ／Ｆ回路64を含んで構成されたハードウェアに、遊技動作制御を行うためのソフトウェアがインストールされたものである。
【００４９】
このようなメイン制御基板2Aには、回胴装置10に設けられている回胴装置基板11B を介して、三個のステッピングモータ11A が電気的に接続されている。ここで、回胴装置基板11B は、ステッピングモータ11A への電力を入り切りするスイッチ回路が形成されたものとなっている。メイン制御基板2Aは、回胴装置基板11B へ起動信号及び停止信号を送出し、三つの回転リール11のそれぞれについて、その回転を開始させたり停止させたりするようになっている。
また、メイン制御基板2Aには、前述した中央表示基板8Aを介して、メダルセレクタ８、１ベットボタン7G、マックスベットボタン7E、スタートレバー7F、三つの押しボタン型スイッチ装置30（ストップボタン）及び、精算ボタン7Hが電気的に接続されている。なお、実際には、押しボタン型スイッチ装置30と中央表示基板8Aとの間に第１スリップリング装置43が接続されているが、図５では省略されている。
【００５０】
これにより、メイン制御基板2Aは、メダルセレクタ８、１ベットボタン7G、マックスベットボタン7E、スタートレバー7F、三つの押しボタン型スイッチ装置30、及び、精算ボタン7Hのそれぞれから送出される信号を個別に受信できるようになっている。
さらに、メイン制御基板2Aには、電源装置2Bに設けられている電源制御基板2Eを介して、ホッパ装置20及び電源装置2Bが電気的に接続されている。ここで、電源制御基板2Eは、ホッパ装置20への電力を入り切りするスイッチ回路が形成されたものとなっている。メイン制御基板2Aは、電源制御基板2Eへ払出信号及び払出停止信号を送出し、ホッパ装置20にメダルの払い出しを開始させたり停止させたりするようになっている。
【００５１】
なお、メイン制御基板2Aには、電源制御基板2Eを介して、電源装置2Bからの電力が供給されるようになっている。
サブ制御基板2Dは、図５の如く、マイクロコンピュータを利用したＣＰＵ65、ＲＯＭ66及びＲＡＭ67等の記憶手段、メイン制御基板2Aとの通信を行うＩ／Ｆ回路68、並びに、外部装置へ信号を送信するためのＩ／Ｆ回路69を含んで構成されたハードウェアに、演出動作制御を行うためのソフトウェアがインストールされたものである。
換言すると、サブ制御基板2Dは、メイン制御基板2Aからの指令に基づいて、音声出力部4F, 6C及び液晶表示装置4E等による演出動作を制御するものとなっている。なお、メイン制御基板2A及びサブ制御基板2Dは、互いのＩ／Ｆ回路64及びＩ／Ｆ回路68を通じて通信を行うようになっている。
【００５２】
このようなサブ制御基板2Dには、前述したリール照明部11C 、演出用照明装置4B,4C,4D、音声出力部4F, 6C及び液晶表示装置4E、並びに、押しボタン型スイッチ装置30の動作を直接制御する三つの駆動制御装置34が電気的に接続されている。
このうち、駆動制御装置34の各々には、前述したように第２フォトインターラプタ46、センサ電極51及びモータ33が電気的に接続されている。なお、実際には、第２フォトインターラプタ39と駆動制御装置34との間、及び、センサ電極51と駆動制御装置34との間には、第２スリップリング装置44及び第３スリップリング装置52がそれぞれ接続されているが、図５では省略されている。
【００５３】
（押しボタン型スイッチ装置30の制御系）
続いて、押しボタン型スイッチ装置30の動作を制御する制御系について説明する。
図６には、押しボタン型スイッチ装置30の動作を制御する制御系の概略構成が示されている。図６において、押しボタン型スイッチ装置30の動作を直接制御する駆動制御装置34は、サブ制御基板2D及びメイン制御基板2Aの両方に従属するものとなっている。また、サブ制御基板2Dは、スロットマシン１の遊技動作を制御するメイン制御基板2Aに従属するものとなっている。
メイン制御基板2Aは、図５の如く、マイクロコンピュータを利用したＣＰＵ61並びにＲＯＭ62及びＲＡＭ63等の記憶手段を含んで構成されたハードウェアを備え、このハードウェアに、遊技動作制御を行うためのソフトウェアがインストールされたものである。
【００５４】
すなわち、メイン制御基板2Aは、そのＣＰＵ61にインストールされた遊技動作制御用のソフトウェアにより、図６の如く、遊技に係る当否を抽選する当否抽選手段71、及び、回転リール11の停止制御を行うリール停止制御手段72等が形成されたものとなっている。
当否抽選手段71は、遊技を開始する際に、複数種類の当選役及びハズレのうちのいずれか一つを抽選するものであり、抽選が完了すると、当選役やハズレ等の抽選結果に対応した抽選結果データ信号を出力するようになっている。
リール停止制御手段72は、当否抽選手段71による当否抽選で所定の当選役に当選した場合に、当選した所定の当選役への入賞のみを可能とし、他の当選役については入賞を回避するように遊技動作を制御する遊技動作制御手段である。
【００５５】
具体的に説明すると、リール停止制御手段72は、第１フォトインターラプタ39からのリール停止信号を契機として、回転リール11を停止させる制御を行うものであり、当否抽選手段71による当否抽選で所定の当選役に当選した場合にのみ、当該当選役に対応する図柄の組合せが成立する回転角度位置に回転リール11を停止させるように、ステッピングモータ11Aを制御するものとなっている。
サブ制御基板2Dは、図５の如く、メイン制御基板2Aと同様に、マイクロコンピュータを利用したＣＰＵ65並びにＲＯＭ66及びＲＡＭ67等の記憶手段を含んで構成されたハードウェアを備え、このハードウェアに、演出動作制御等を行うためのソフトウェアがインストールされたものである。
【００５６】
すなわち、サブ制御基板2Dは、そのＣＰＵ65（図５参照）にインストールされた演出動作制御用のソフトウェアにより、図６の如く、当否抽選手段71で抽選された当選役に対応して行うべき演出の内容を選択する演出内容選択手段73、及び、演出内容選択手段73が選択した演出内容に対応した演出動作の制御を行う演出動作制御手段74等が形成されたものとなっている。
演出内容選択手段73は、複数種類の当選役のそれぞれに応じた演出内容として、演出のために作動すべき演出用装置と、その動作との組合せが予め複数種類設定され、抽選結果データ信号に対応して複数種類の組合せのなかから、一の組合せを選択するものである。そして、演出内容選択手段73は、一の組合せを選択すると、その内容を示すコードを含んだ演出内容データ信号を出力するようになっている。
【００５７】
ここで、スロットマシン１には、演出用装置として、前述したリール照明部11C 、演出用照明装置4B,4C,4D、音声出力部4F, 6C、液晶表示装置4E、及び、押しボタン型スイッチ装置30等が設けられている。
演出動作制御手段74は、演出内容選択手段73からの演出内容データ信号を受信し、受信した演出内容データ信号に基づいて、演出で作動すべき演出用装置を選択するとともに、演出内容データ信号に対応した動作となるように、選択した演出用装置の動作を制御するものである。
更に詳しく説明すると、演出動作制御手段74は、演出内容選択手段73からの演出内容データ信号に基づいて演出用装置を選択するとともに、遊技の進行に対応して演出が開始され、且つ、終了するように演出用装置、あるいは、そのドライバに対して、演出開始信号及び演出終了信号を出力するものとなっている。
【００５８】
なお、演出動作制御手段74は、受信した演出内容データ信号によって規定される演出用装置が押しボタン型スイッチ装置30である場合、三つ設けられている押しボタン型スイッチ装置30の駆動制御装置34のそれぞれに、当該演出の開始時には演出開始信号を、終了時には演出終了信号を送出するようになっている。
駆動制御装置34は、前述したサブ制御基板2Dからの演出開始信号及び演出終了信号、第２フォトインターラプタ46からの信号、及び、センサ電極51からの信号等に基づいて、ボタン部31を回転駆動するモータ33の動作を制御するものとなっている。
すなわち、駆動制御装置34には、第２フォトインターラプタ46が第２スリップリング装置44を介して電気的に接続され、且つ、センサ電極51が第３スリップリング装置52を介して電気的に接続されている。
【００５９】
そして、このような駆動制御装置34には、図６に示すように、第２フォトインターラプタ46及びセンサ電極51の出力する信号の波形整形を行う波形整形手段53と、第２フォトインターラプタ46及びセンサ電極51の接続の切換、並びに、その一方の選択を行うセンサ切換選択手段54と、波形整形手段53から出力される信号等に基づいてモータ33の起動／停止及び正転／逆転の切換を行うモータドライバ55とが設けられている。
波形整形手段53は、第２フォトインターラプタ46及びセンサ電極51の出力する信号の異なる信号形態のそれぞれに対応して、二つの信号波形整形手段53A, 53Bを有するものとなっている。
【００６０】
このうち、信号波形整形手段53A としては、第２フォトインターラプタ46からの通過信号を受信して、当該通過信号の立ち上がり時に１つの電圧パルスを出力する、換言すると、投光素子46A の投光する光が遮断された瞬間に１つの電圧パルスを、第２フォトインターラプタ46の通過信号として出力するように形成されたものとなっている。
信号波形整形手段53B は、センサ電極51の出力する接触信号を受信して、当該接触信号の立ち上がり時に１つの電圧パルスを出力する、換言すると、センサ電極51に遊技者が触れた瞬間に１つの電圧パルスを、センサ電極51の接触信号として出力するように形成されたものとなっている。
【００６１】
センサ切換選択手段54は、演出内容選択手段73からの演出内容データ信号に対応して、二つのセンサの選択及び切換を行うものである。
このセンサ切換選択手段54には、遊技状態に対応して第２フォトインターラプタ46及びセンサ電極51のうちの一方を選択するセンサ選択手段81と、押しボタン型スイッチ装置30による演出を開始する際に、センサ選択手段81の最初の選択内容が当否抽選の結果に対応して予め設定されている初期選択設定手段82と、センサ選択手段81の選択対象を第２フォトインターラプタ46及びセンサ電極51の一方から他方へ切り換えるための切換判定手段83と、当否抽選の結果に対応して切換判定手段83の切換動作を抑止する切換抑止手段84とが設けられている。
【００６２】
センサ選択手段81は、二つの入力ポート、及び、一つの出力ポートを有し、二つの入力ポートのうちの一つを選択的に出力ポートに接続するものとなっている。
そして、センサ選択手段81は、二つの入力ポートの一方に第２フォトインターラプタ46が接続されるとともに、他方にセンサ電極51が接続され、これにより、第２フォトインターラプタ46及びセンサ電極51のいずれか一方が選択されて出力ポートに接続されるようになっている。
初期選択設定手段82は、当否抽選手段71が行う当否抽選で選ばれる可能性のある複数種類の当選役毎に、当否抽選手段71が行った当否抽選の結果に対応して選択すべきセンサとして、演出を行う際に最初に選択すべきセンサを記憶したものとなっている。
【００６３】
そして、初期選択設定手段82は、当否抽選手段71が当否抽選を行った後、演出内容選択手段73から演出内容データ信号を受信すると、受信した演出内容データ信号に基づいて、第２フォトインターラプタ46及びセンサ電極51のうち、当否抽選の結果に対応した方を、センサ選択手段81に選択させるようになっている。
このような初期選択設定手段82により、センサ選択手段81は、当否抽選手段71が行った当否抽選の結果に対応して選択すべきセンサとして、第２フォトインターラプタ46及びセンサ電極51のいずれか一方が予め設定されたものとなっている。
センサ選択手段81は、初期選択設定手段82の内部に当否抽選の結果に対応したセンサとして設定されている、第２フォトインターラプタ46及びセンサ電極51のいずれか一方を選択して出力ポートに接続する、換言すると、第２フォトインターラプタ46及びセンサ電極51のいずれか一方をモータドライバ55及び切換判定手段83の両方に接続させるようになっている。
【００６４】
切換判定手段83は、第２フォトインターラプタ46及びセンサ電極51のうち、センサ選択手段81が選択したセンサに接続され、センサ選択手段81が選択したセンサから電気信号を受信すると、センサ選択手段81にセンサの選択を切り換えるべきであるとの判定を行うものである。
換言すると、切換判定手段83は、第２フォトインターラプタ46の通過信号及びセンサ電極51の接触信号のいずれか一方を受信すると、センサの選択を切り換えさせるべく、センサ選択手段81へ切換信号を送出するものとなっている。
更に詳しく説明すると、切換判定手段83は、いわゆるディレイフリップフロップ回路と同様の機能を有する手段である。すなわち、切換判定手段83は、センサ選択手段81の選択したセンサから信号を受信すると、この信号を受信した時点から所定時間だけ遅れたタイミングで、センサ選択手段81の選択したセンサを第２フォトインターラプタ46及びセンサ電極51の一方から他方へ切り換えるものとなっている。
【００６５】
そして、センサ選択手段81は、切換信号を受信すると、出力ポートとの接続を、二つの入力ポートのうちの一方から他方へ切り換えるようになっている。
ここで、センサ選択手段81は、一の遊技における当否抽選によって所定の当選役としてボーナスゲームが選ばれると、初期選択設定手段82により選択すべきセンサとしてセンサ電極51が予め設定されたものである。
そして、切換判定手段83は、一の遊技における当否抽選によって所定の当選役としてボーナスゲームが選ばれると、センサ選択手段81が選択したとセンサ電極51に接続され、センサ電極51からの接触信号が受信可能な状態にされ、当該接触信号を受信すると、切換信号をセンサ選択手段81へ出力し、遊技の途中で、センサ選択手段81に選択するセンサをセンサ電極51から第２フォトインターラプタ46へ切り換えさせるものとなっている
すなわち、切換判定手段83は、ボーナスゲームの当選により、センサ選択手段81がセンサ電極51を選択し、センサ電極51がモータドライバ55等に接続されている状態で、センサ電極51から接触信号を受信すると、センサ選択手段81の内部接続を切り換わらせ、第２フォトインターラプタ46をモータドライバ55等に接続させるようになっている。
【００６６】
切換抑止手段84は、演出内容選択手段73からの演出内容データ信号に対応して、切換判定手段83の切換動作の許可と抑止とを行うものである。
すなわち、押しボタン型スイッチ装置30を利用した演出としては、遊技の途中でセンサ選択手段81の内部接続を切り換えるものと、センサ選択手段81の内部接続を切り換えないものの両方が設定されている。
そして、サブ制御基板2D側に設けられている演出内容選択手段73が出力する演出内容データ信号には、遊技の途中でセンサ選択手段81の内部接続が切り換えられる演出と、センサ選択手段81の内部接続が遊技の途中で切り換えられない演出とを判別するためのコードが付されている。
【００６７】
切換抑止手段84は、演出内容選択手段73からの演出内容データ信号を受信すると、受信した演出内容データ信号に基づき、遊技の途中でセンサ選択手段81の内部接続を切り換えるか否かの判定を行うものとなっている。
そして、切換抑止手段84は、遊技の途中でセンサ選択手段81の内部接続を切り換えることを許容する判定を行った場合には、導通状態となり、センサ選択手段81の出力ポートから出力される信号の通過させ、センサ選択手段81の選択したセンサからの電気信号を切換判定手段83が受信可能にし、これにより、センサ選択手段81の切換動作を許容するものである。
【００６８】
一方、切換抑止手段84は、遊技の途中でセンサ選択手段81の内部接続を切り換えることを抑止する判定を行った場合には、遮断状態となり、センサ選択手段81の出力ポートから出力される信号を阻止し、センサ選択手段81の選択したセンサと切換判定手段83とを電気的に非接続状態にし、これにより、センサ選択手段81の切換動作を抑止するものである。
モータドライバ55は、センサ選択手段81が選択したセンサの電気信号に基づいて、モータ33の動作を制御する操作機制御手段である。
このモータドライバ55は、サブ制御基板2D側に設けられている演出動作制御手段74が出力する演出開始信号を受信すると起動可能状態となるように形成されている。
【００６９】
そして、モータドライバ55は、起動可能状態で一発のパルス信号を受信すると、モータ33が正転方向へ回転するようにモータ33を起動し、この正転方向へ回転している状態で、さらに一発のパルス信号を受信すると、モータ33を逆転方向へ回転させ、その後、パルス信号を受信する度に、モータ33の運転を継続させたまま、その回転方向を切り換えるようになっている。
また、モータドライバ55は、サブ制御基板2D側に設けられている演出動作制御手段74が出力する演出終了信号を受信すると、モータ33を停止させるように形成されている。
例えば、モータドライバ55は、当否抽選でボーナスゲームが当選し、センサ選択手段81がセンサ電極51を選択し、遊技者がセンサ電極51に触れると、センサ電極51からの接触信号を受信し、モータ33を正転方向へ回転させるようになっている。
【００７０】
そして、モータ33が正転方向へ回転を開始するのと同時に、センサ電極51からの接触信号によって、切換判定手段83がセンサ選択手段81の内部接続を切り換わらせ、第２フォトインターラプタ46がモータドライバ55に接続されるようになっている。
この状態で、ボタン部31が押圧操作され、第２フォトインターラプタ46から通過信号が出力されると、モータドライバ55は、第２フォトインターラプタ46からの通過信号を受信し、モータ33の回転方向を逆転方向へ切り換えるようになっている。
これにより、ボタン部31は、当否抽選でボーナスゲームが当選すると、遊技者の指で押圧されたままその回転方向を逆転させる演出が行えるようになっている。
【００７１】
次いで、本実施形態に係る押しボタン型スイッチ装置30による演出、具体的には、そのボタン部31を回転させるボタン部回転演出処理について、図７のフローチャートを参照しながら説明する。なお、以下の説明におけるボタン部31の演出動作は、あくまで一例であり、本実施形態における押しボタン型スイッチ装置30の演出動作は、以下の説明に限定されるものではなく、様々な進出動作が可能となっている。
このボタン部回転演出処理は、スロットマシン１のメイン制御基板2A及びサブ制御基板2Dに従属する駆動制御装置によって実行され、メイン制御基板2Aによる遊技動作制御処理、及び、サブ制御基板2Dによる演出動作制御処理等と同時に並列に処理される。そして、ボタン部回転演出処理は、演出内容選択手段73からの演出内容データ信号を受信すると、開始されるようになっている。
【００７２】
ボタン部回転演出処理が開始されると、まず、図７に示すように、ステップＳ1000において、演出内容選択手段73の出力した演出内容データ信号を受信する受信処理が行われ、演出内容データ信号の受信が適正に完了したら、次のステップＳ1100へ進む。
ステップＳ1100では、受信した演出内容データ信号に基づいて、第２フォトインターラプタ46及びセンサ電極51のうち、当否抽選の結果に対応した方をセンサ選択手段81に選択させる選択処理が行われる。例えば、当否抽選でボーナスゲームが当選すると、ステップＳ1100では、センサ電極51が選択される。そして、選択処理が完了したら、次のステップＳ1200へ進む。
【００７３】
ステップＳ1200では、サブ制御基板2D側の演出動作制御手段74から演出開始信号を受信したか否かが判定される。
このステップＳ1200で演出開始信号を受信したと判定されなかった場合には、演出開始信号を受信するまで、ステップＳ1200を繰り返す待機処理が行われる。一方、ステップＳ1200で演出開始信号を受信したと判定された場合には、次のステップＳ1300へ進む。
ステップＳ1300では、ステップＳ1100においてセンサ選択手段81が選択したセンサから所定の電気信号を受信したか否かが判定される。例えば、当否抽選でボーナスゲームが当選した場合には、センサ電極51からの接触信号を受信したか否かが判定される。
【００７４】
ステップＳ1300でセンサ選択手段81の選択したセンサから所定の電気信号を受信したと判定されなかった場合、選択されたセンサからの信号を受信するまで、ステップＳ1300を繰り返す待機処理が行われる。一方、ステップＳ1300でセンサから信号を受信したと判定された場合には、次のステップＳ1400へ進む。
ステップＳ1400では、モータ33を正転方向への回転させるモータ33の正転作動処理が行われる。この後、次のステップＳ1500へ進む。
ステップＳ1500では、サブ制御基板2D側の演出動作制御手段74から演出終了信号を受信したか否かが判定される。
【００７５】
このステップＳ1500で演出終了信号を受信したと判定された場合には、ステップＳ3000へジャンプする。一方、ステップＳ1500で演出終了信号を受信したと判定されなかった場合には、次のステップＳ1600へ進む。
ステップＳ1600では、ステップＳ1100においてセンサ選択手段81の選択したセンサを、もう一方のセンサに切り換えることが可能か否かが判定される。換言すると、ステップＳ1600では、切換抑止手段84がセンサ選択手段81の出力ポートから出力される信号を通過させるか否かが判定される。
このステップＳ1600でセンサ選択手段81の選択したセンサが切換可能であると判定されなかった場合には、ステップＳ3000へジャンプする。一方、ステップＳ1600でセンサ選択手段81の選択したセンサが切換可能であると判定された場合には、次のステップＳ1700へ進む。
【００７６】
ステップＳ1700では、センサ選択手段81の選択したセンサを、もう一方のセンサに切り換える選択センサ切換処理を行う。
具体的には、ステップＳ1700を開始する時点で、センサ選択手段81がセンサ電極51を選択している場合には、ステップＳ1700において、センサ選択手段81の選択したセンサが第２フォトインターラプタ46に切り換えられる。
一方、ステップＳ1700を開始する時点で、センサ選択手段81が第２フォトインターラプタ46を選択している場合には、ステップＳ1700において、センサ選択手段81の選択したセンサがセンサ電極51に切り換えられる。
【００７７】
この選択センサ切換処理が完了したら、次のステップＳ2000へ進む。
ステップＳ2000では、ステップＳ1700においてセンサ選択手段81が選択を切り換えたセンサから所定の電気信号を受信したか否かが判定される。例えば、ステップＳ1700においてセンサ選択手段81が切換選択したセンサが第２フォトインターラプタ46である場合、第２フォトインターラプタ46からの通過信号を受信したか否かが判定される。
ステップＳ2000でセンサ選択手段81の選択切換したセンサから所定の電気信号を受信したと判定されなかった場合、選択切換されたセンサからの信号を受信するまで、ステップＳ2000を繰り返す待機処理が行われる。一方、ステップＳ2000でセンサから信号を受信したと判定された場合には、次のステップＳ2100へ進む。
【００７８】
ステップＳ2100では、モータ33を起動してボタン部31の逆転方向への回転を開始させるモータ33の逆転方向処理が行われる。この後、次のステップＳ2200へ進む。
ステップＳ2200では、サブ制御基板2D側の演出動作制御手段74から演出終了信号を受信したか否かが判定される。
このステップＳ2200で演出終了信号を受信したと判定された場合には、ステップＳ3000へジャンプする。一方、ステップＳ2200で演出終了信号を受信したと判定されなかった場合には、次のステップＳ2300へ進む。
ステップＳ2300では、ステップＳ1700においてセンサ選択手段81が選択切換したセンサを、もう一方のセンサに切り換える選択センサ切換処理を行う。
【００７９】
具体的には、ステップＳ2300を開始する時点で、センサ選択手段81が第２フォトインターラプタ46を選択している場合には、ステップＳ2300において、センサ選択手段81の選択したセンサがセンサ電極51に切り換えられる。
一方、ステップＳ2300を開始する時点で、センサ選択手段81がセンサ電極51を選択している場合には、ステップＳ2300において、センサ選択手段81の選択したセンサが第２フォトインターラプタ46に切り換えられる。
この選択センサ切換処理が完了したら、ステップＳ1300に戻る。
ステップＳ3000では、モータ33を停止する停止処理が行われる。この停止処理により、モータ33が停止したら、以上によりボタン部回転演出処理は完了する。
【００８０】
前述のような本実施形態によれば、次のような効果が得られる。
すなわち、ボタン部31をケース部32に支持させるにあたり、当該ボタン部31の押圧方向に沿ってボタン部31を移動可能にするとともに、当該ボタン部31の押圧方向に対して平行な回転軸を中心にボタン部31を回転可能にし、さらに、ボタン部31を支持するケース部32とともにボタン部31を回転させるモータ33（ステッピングモータ）を設けたので、時計方向及び反時計方向の両回転方向についてボタン部31を回転させることができ、ボタン部31の回転方向が一方向に制限されることがないうえ、必要に応じて何回転でもボタン部31を回転させることが可能となるので、回転方向や回転角度範囲の異なる多様な動作を実現することができる。
【００８１】
また、ボタン部31への接触を検出すると、所定の電気信号である接触信号を出力するセンサ電極51と、ボタン部31の移動範囲の途中に設けられるとともに、ボタン部31の通過を検出すると、所定の電気信号である通過信号を出力する第２フォトインターラプタ46と、これらのセンサ電極51及び第２フォトインターラプタ46のいずれか一方を遊技状態に応じて選択するセンサ選択手段81と、このセンサ選択手段81が選択したセンサの電気信号に基づいて、モータ33の動作を制御するモータドライバ55とを設けたので、遊技状態に対応してセンサ選択手段81が接触検出センサ及び通過検出センサのいずれか一方を選択し、選択されたセンサからの信号を契機に、モータドライバ55がモータ33の動作を変更することができ、ひいては、ボタン部31の回転動作を変更させることができる。
【００８２】
例えば、遊技を開始する際にボタン部31の回転を開始しておき、遊技状態に応じてセンサ選択手段81が選択したセンサからの信号を契機に、ボタン部31をそれまでとは反対の方向へ回転させたり、あるいは、ボタン部31の回転を停止させたりすることができる。
ここで、センサ選択手段81が遊技状態に応じてセンサ電極51を選択すると、遊技者がボタン部31に接触した時点で、ボタン部31の回転動作を変更することができる。
一方、センサ選択手段81が遊技状態に応じて第２フォトインターラプタ46を選択すると、ボタン部31に対して押圧操作が行われた後、押圧されたボタン部31がある程度移動した時点で、ボタン部31の回転動作を変更することができる。
【００８３】
また、センサ電極51の接触信号でセンサ選択手段81がセンサ電極51の選択を解除し、第２フォトインターラプタ46を選択するようにすれば、一の遊技において、ボタン部31の回転動作について、変更を二段階に行うことができる。
以上により、ボタン部31の回転方向や回転角度範囲の異なるうえ、必要に応じてボタン部31の回転速度も可変にでき、ボタン部31の多様な動作を実現することができるうえ、センサ選択手段81が遊技状態に応じてセンサ電極51及び第２フォトインターラプタ46のいずれか一方を選択し、選択したセンサの信号を、ボタン部31の動作変化の契機とすることにより、ボタン部31の動作変化のタイミングが異なる複数種類の演出を行うことができ、従って、押しボタン型スイッチ装置30で多様な演出が行えるようになる。
【００８４】
さらに、遊技における当否に係る当否抽選を行う当否抽選手段71と、この当否抽選手段71による抽選結果に応じて回転リール11の停止制御を行うことにより、当否抽選で当選した時のみ入賞を可能とするリール停止制御手段72とを設け、且つ、当否抽選で当選した当選役に対応して、センサ選択手段81に選択させるべきセンサを記憶した初期選択設定手段82を設け、これにより、当否抽選手段71が行う当否抽選の抽選結果に対応して選択すべきセンサを予めセンサ選択手段81に設定しておいたので、選択されるセンサが常にセンサ電極51及び第２フォトインターラプタ46の一方となることがなく、ボタン部31の動作が変化するタイミングを相違させることができる。
【００８５】
従って、ボタン部31の回転動作により、当否抽選で当選役に当選したことを遊技者に知らせる報知演出が行えるうえ、ボタン部31の動作が変化するタイミングによっても、当否抽選で当選した当選役の種類を遊技者に知らせる報知演出が行え、単に、ボタン部31を回転動作させる報知演出よりもさらに詳しい報知演出を行うことができる。
また、センサ選択手段81に対して二つのセンサとの接続を一方から他方へ切換させる切換信号を出力する切換判定手段83を設け、この切換判定手段83によって、接続中のセンサが電気信号を出力すると、センサ選択手段81がそれまで切断状態にあったセンサへ接続を切り換えるようにしたので、ボタン部31の押圧操作が行われている間に、２段階の動作変化を実現することができる。
【００８６】
これにより、センサ選択手段81に予め設定されているセンサがセンサ電極51である場合には、遊技者がボタン部31に接触すると、ボタン部31が回転を開始するように設定し、且つ、遊技者の押圧操作により、ボタン部31がある程度移動して、第２フォトインターラプタ46を作動させると、ボタン部31が逆方向に回転を開始するように設定することにより、ボタン部31の動作を２段階に変化させることができる。
さらに、センサ選択手段81に予め設定されているセンサとして第２フォトインターラプタ46を設定するとともに、遊技の開始とともにボタン部31が回転を開始するように設定し、これに加えて、遊技者の押圧操作により、ボタン部31がある程度移動して、第２フォトインターラプタ46を作動させると、ボタン部31が停止するように設定し、且つ、遊技者がボタン部31から指を離すと、これをセンサ電極51が検出して、ボタン部31が回転を再開するように設定することによっても、ボタン部31の動作を２段階に変化させることができ、この点からも、押しボタン型スイッチ装置30による演出のバリエーションを増やすことができる。
【００８７】
また、当否抽選で所定の当選役が選ばれた際に、選択すべきセンサとしてセンサ電極51を予めセンサ選択手段81に設定しておけば、遊技者がボタン部31に接触すると、ボタン部31が回転を開始するように設定することができる。
そして、遊技者のボタン部31への接触によってセンサ電極51から出力される接触信号を受信すると、センサ選択手段81に切換信号を送出して、出力側の接続をセンサ電極51から第２フォトインターラプタ46に切り換えさせる切換判定手段83を設けたので、ボタン部31への接触の後、遊技者によって押圧操作されたボタン部31がある程度移動して、第２フォトインターラプタ46を作動させると、ボタン部31が逆方向に回転を開始するように設定することができる。
【００８８】
以上により、遊技者がボタン部31に触れている間に、ボタン部31の動作を２段階に変化させることができ、押しボタン型スイッチ装置30による演出のバリエーションを増やすことができるうえ、遊技者がボタン部31に触れている間にボタン部31の回転が逆方向に変化するので、視覚だけでなく触覚にも訴える効果的な演出を実現することができる。
なお、本発明は、前記実施形態に限定されるものではなく、本発明の目的を達成できる範囲における変形及び改良などをも含むものである。
例えば、前記実施形態では、ボタン部31を支持するケース部32をモータ33で回転駆動するようにしたが、図８に示すように、ボタン部31をモータ33に支持させ、このモータ33をケース部32で支持するようにしてもよい。
【００８９】
また、前記実施形態では、センサ電極51の静電容量の変化に基づいて接触を検出する静電容量検出型の接触センサを採用したが、これに限らず、電極の電位の変化に基づいて接触を検出する静電容量検出型の接触センサや、接触を検出すべき部位に超音波を送り、この超音波の反射波等の変化に基づいて接触を検出する超音波検出型の接触センサ等、他の検出方式を利用した接触センサを採用してもよい。
さらに、通過検出センサとしては、フォトインターラプタに限らず、ボタン部との機械的接触によりボタン部の通過を検出するリミットスイッチや、周囲に超音波を放出し、ボタン部から超音波の反射波を受信することでボタン部の通過を検出する超音波式の近接センサ等の他の検出形式を利用したセンサを採用してもよく、要するに、ボタン部が押圧操作により移動可能となっている移動範囲の途中位置を、ボタン部が通過したことを検出できるものであればよい。
【００９０】
また、前記実施形態では、センサ電極51からの接触信号及び第２フォトインターラプタ46からの通過信号を、直接、駆動制御装置34に入力したが、これに限らず、センサ電極51からの接触信号及び第２フォトインターラプタ46からの通過信号は、サブ制御基板2Dに入力し、このサブ制御基板2Dを経由で駆動制御装置34に入力してもよい。
さらに、前記実施形態では、駆動制御装置34は、サブ制御基板2Dから演出内容データ信号、演出開始信号及び演出終了信号を受信したが、これに限らず、演出内容データ信号、演出開始信号及び演出終了信号をメイン制御基板2Aから受信するようにしてもよい。
また、遊技機としては、スロットマシンに限らず遊技場やゲームセンター等に設置されるパチンコ機やビデオゲームでもよく、本発明は、押しボタン型スイッチ装置を備えた遊技機全般に適用することができる。
【図面の簡単な説明】
【００９１】
【図１】本発明の一実施形態に係る遊技機であるスロットマシンの全体を示す正面図である。
【図２】前記実施形態に係るスロットマシンの内部を示す正面図である。
【図３】前記実施形態に係る押しボタン型スイッチ装置を示す断面図である。
【図４】図３のIV−IV線における断面図である。
【図５】前記実施形態に係る押しボタン型スイッチ装置に係る制御系を示すブロック図である。
【図６】前記実施形態に係る押しボタン型スイッチ装置の制御系を示すブロック図である。
【図７】前記実施形態にボタン部回転演出処理を説明するためのフローチャートである。
【図８】本発明の変形例を示す断面図である。
【符号の説明】
【００９２】
１  遊技機としてのスロットマシン
７  パネル面としての操作卓
30  押しボタン型スイッチ装置
31  ボタン部
31A 押圧面
32  基部を構成するケース部
33  操作機としてのモータ
34  起動制御手段としての駆動制御手段
46  通過検出センサとしての第２フォトインターラプタ
51  接触検出センサとしてのセンサ電極
55  操作機制御手段としてのモータドライバ
71  当否抽選手段
72  遊技動作制御手段としてのリール停止制御手段
81  センサ選択手段
83  切換判定手段
【図１】
0005057579.tif 000002
【図２】
0005057579.tif 000003
【図３】
0005057579.tif 000004
【図４】
0005057579.tif 000005
【図５】
0005057579.tif 000006
【図６】
0005057579.tif 000007
【図７】
0005057579.tif 000008
【図８】
0005057579.tif 000009